【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
複数の微小流体モジュールを有するシステムであって、該システムは、複数の連結モジュールを含み、該複数の連結モジュールは、
次段のモジュールを受容する少なくとも第１の連結機構と、
次段のモジュールと流体接続できるように、及び／又は、他の手法で１又は２以上のルートレベルの動作プロトコールを可能とするように操作可能な内部構造とを有すると共に、
同一又は異なる総数の２以上のモジュールの組合せにて、完全カートリッジへと組み立てられるように操作可能であり、ここで該完全カートリッジが、
全体として保存された操作可能な外部寸法を有すると共に、
１又は２以上の区別されるルートレベルの動作プロトコールを実施するように操作可能である、システム。
【請求項２】
別のモジュールにより選択的に受容されるための第２の連結機構を更に含む、請求項１の微小流体モジュールのシステム。
【請求項３】
前記内部構造が、１又は２以上のチャンバーであり、前記１又は２以上のチャンバーが、
第１の入力を受容し、
前記第１の入力を包囲し、
前記第１の入力を次段の連結モジュールへと移送し、且つ、
前記チャンバーの内部圧力を外部から制御する１又は２以上の手段を提供する
ように構成される、請求項１の微小流体モジュールのシステム。
【請求項４】
前記チャンバーが更に、穿孔可能なバリアーで封止された開口を有し、前記開口を通じて前記チャンバーから空気を排気して真空とすることにより、前記チャンバーの各区画をバキュテナーとして機能させ、均圧化の力により第１の入力を前記チャンバーへと導入可能に構成される、請求項３の微小流体モジュールのシステム。
【請求項５】
前記チャンバーが、検体を前記チャンバー内へ移送するように操作可能な機械的手段と連結されてなる、請求項３の微小流体モジュールのシステム。
【請求項６】
前記チャンバーが、前記第１の入力の質に関する出力を生成するように操作可能な電気的及び／又は化学的センサーを有するように構成される、請求項３の微小流体モジュールのシステム。
【請求項７】
前記チャンバーが、分析のために第１の入力を調製することを意図した機械的及び／又は化学的手段を有するように構成される、請求項３の微小流体モジュールのシステム。
【請求項８】
前記内部構造が、連続流式流体システムとして構成され、該連続流式流体システムが、
第１のモジュールから伝送される第１の入力を受容し、
１又は２以上の次段のモジュールから伝送される第２の入力の補完物を受容し、
前記ルートレベルの動作プロトコールに従って、前記第１の入力を前記第２の入力で処理し、
更に任意により、液体シグナルを次段のモジュールに伝送し、
更に任意により、前記構造内に第２の入力を保持する
ように操作可能である、請求項１の微小流体モジュールのシステム。
【請求項９】
前記内部構造が、複数の識別可能な流体連通経路によって相互連結された、複数の個別の混合チャンバーを有し、
少なくとも第１の経路が、第１の入力の前記混合チャンバーへの移送を提供し、
操作可能な数の第２の経路が、１又は２以上の第２の入力の前記複数の個別の混合チャンバーへの移送を提供する、請求項８の微小流体モジュールのシステム。
【請求項１０】
前記内部構造が、フローサイトメーターであり、前記フローサイトメーターが、
入口及び出口を有するチャンバーと、
前記入口へと流入する第１の流体制御経路と、
前記出口から流出する第２の流体制御経路と、
前記出口付近に位置し、測定可能な電場を電極対により発生可能に構成されたフロー開口部とを備え、
前記第１の入力の質が、前記第１の入力を前記チャンバーから前記出口付近の前記電場を通じて前記第２の流体制御経路へと移送する際に、前記電場に生じる擾乱として測定される、請求項８の微小流体モジュールのシステム。
【請求項１１】
前記内部構造が、半固体又は懸濁固体の仲介物を保持し、ルートレベルの動作プロトコールに従って第１の入力を処理するための、１又は２以上のチャンバーを有し、前記１又は２以上のチャンバーが更に任意により、斯かる仲介物の付近に電場を発生させる電極対を有し、第１の入力の電気特性に基づく測定を可能とするように構成される、請求項８の微小流体モジュールのシステム。
【請求項１２】
前記内部構造が、電気的及び／又は化学的センサーを有するように構成され、前記電気的及び／又は化学的センサーが、前記第１の入力の質に関する出力を発生させるように操作可能である、請求項８の微小流体モジュールのシステム。
【請求項１３】
前記内部構造が、１又は２以上のチャンバーであり、前記１又は２以上のチャンバーが、
次段の連結モジュールから伝送された流体シグナルを受容し、
前記チャンバーの構造により前記流体シグナルを内包し、
前記チャンバーの内部圧力を外部制御し、且つ
１又は２以上の電気的及び／又は化学的センサーを有するように構成され、
前記１又は２以上の電気的及び／又は化学的センサーが、第１の入力の質に関する出力を生成するように操作可能である、請求項１の微小流体モジュールのシステム。
【請求項１４】
前記内部構造が、部分組立品を受容するように構成された開口である、請求項１の微小流体モジュールのシステム。
【請求項１５】
前記部分組立品が試薬送達システムであり、
前記試薬送達システムが、ルートレベルの、又は複数の調和した下位レベルの、動作プロトコールに従って、第２の入力の１又は２以上の補完物を識別可能なように次段のモジュールへと移送するよう操作可能に構成され、
ここで、前記第２の入力の１又は２以上の補完物が、時間的に較正された列に整列された複数の個別包装された試薬であり、前記複数の個別包装された試薬が、ルートレベルの、又は複数の調和した下位レベルの、動作プロセスに従った各試薬の時間依存性分注系列を規定する、請求項１３の微小流体モジュールのシステム。
【請求項１６】
前記部分組立品が、化学的、電気的、及び／又は、光センサー、メーター、フィルター；及び／又は、光電子増倍管；及び／又は、蓄電デバイス；及び／又は、計算機構のうち一種、又は複数種の組合せである、請求項１３の微小流体モジュールのシステム。
【請求項１７】
複数のモジュールの適切な選択が更に、前記複数のモジュールの選択により認識可能な作動的モジュラーマトリックスを含み、これにより前記ルートレベルの動作プロトコールとは異なる１又は２以上の動作を表す、請求項１の微小流体モジュールのシステム。
【請求項１８】
前記作動的マトリックスが、２以上のモジュール、２以上のモジュール群、又は完全モジュラー集合体の間を連結する連結機構の、選択、配置、分布、及び／又は固有特性により符号化されており、
ここで、斯かる連結機構は、任意により：機械的連結、機械的コネクタ、共働的幾何形状、共働的隙間、当初界面、部分的モジュラー組立により生じる界面、部分的モジュラー組立により完遂される分離された機械的連結、部分的モジュラー組立により完遂される分離された機械的連結、アップリケ又は視覚的インディケータの使用、及び／又は、分離された電気回路のうち１又は２以上である、請求項１６の微小流体モジュールのシステム。
【請求項１９】
前記モジュールが、複数のモジュールの適切な選択を認識可能とするための第１の整列動作を表すように構成され、これにより、各モジュールを完全なカートリッジへと組み立てるための選択、時機、順序、及び向きに関する１又は２以上のアスペクトを自己識別することが可能となり、
ここで、前記第１の整列動作が、現在の組立事象の完遂が、次段の組立事象のための作動的アタッチメント点を作成し、最終組立事象に至る過程で全ての作動的アタッチメント点を完遂することにより、カートリッジが完成されるような、漸進プロセスである、請求項１７の微小流体モジュールのシステム。
【請求項２０】
前記モジュールが、完成されるカートリッジの複数のモジュールの選択により、前記カートリッジの制御可能なアスペクトを操作可能とするための、第２の整列動作を表すように構成され、
ここで、第１に選択的組立を提供する機械的連結が、任意により、第２に１又は２以上のモジュールの相対運動を許容する、請求項１７の微小流体モジュールのシステム。
【請求項２１】
前記モジュールが、外部シグナルを内部シグナルへと変換する、第３の整列動作を表すように構成され、
ここで前記第３の整列動作が、
ルートレベルの動作プロトコールを実施するように前記カートリッジの制御可能なアスペクトを操作し、及び／又は
ルートレベルの動作プロトコールを実施するように、プログラム可能な属性を、前記カートリッジのプログラム可能なアスペクトへと伝送し、
ここで、モジュール筐体に存在する１又は２以上の開口が、ルートレベルの動作プロトコールが実施されている部位を通じて配列されることにより、スライド／スライドガイドに沿った１又は２以上のモジュールの動作が、非線形の強度及び持続時間を有する直線運動を、変調された振幅及び周波数を有する内部シグナルへと転換し、或いは、プログラムされた試薬送達システムを支配するより高次のプログラム可能な属性として機能し、或いは、前記カートリッジの内部及び／又は外部への放射エネルギーの伝送経路を提供する、請求項１７の微小流体モジュールのシステム。
【請求項２２】
前記ルートレベルの動作プロトコールが、第１の入力を１又は２以上の第２の入力と併合し、前記第１の入力の質に関する出力を生成する段階的プロセスであると共に、複数の異なる段階的動作プロセス、及び／又は、複数の異なる第２の入力の補完物を有する、複数の調和した下位レベルのプロトコールを収容することにより、前記第１の入力の複数の異なる質に関する分離された複数の出力を生成するように構成されてなり、
ここで、前記第１の入力は任意により生物学的検体であり、前記第２の入力は任意により、液体、気体、又は静止粉末試薬であり、前記動作プロトコールは任意により、液体、半固体、懸濁固体環境のうち１種又は二種以上の組合せにて実施される、請求項１の微小流体モジュールのシステム。
【請求項２３】
前記複数の第２の入力の補完物が更に、１又は２以上の湿潤セルに個別に内包されてなる１又は２以上の個別の液体試薬を含み、
前記１又は２以上の湿潤セルは、ルートレベルの動作プロトコールの段階的手順に従って配置されることにより、時限分注系列を有する直列化された試薬クラスターを生成し、
ここで任意により、２以上の直列化された試薬クラスターが、並列に配置され、
ここで任意により、２以上の直列化された試薬クラスター間の前記時限分注系列間の不整合は、１又は２以上の湿潤セル間に乾燥セルスペーサを挿入して物理的分離を作成し、前記２以上の直列化された試薬クラスターの１又は２以上の湿潤セル間の分注事象にプログラム遅延を導入することにより、共通の推進力で駆動されるように較正されてなる、請求項２１の微小流体モジュールのシステム。
【請求項２４】
前記複数の第２の入力の補完物が、時間的に制御された分注系列を表す複数の作動的組成物として予め構成され、前記複数の作動的組成物が、
同一の組成物；及び／又は、
同一の数、量、及び時機を有するが、１又は２以上の種類において異なる、対称的な組成物；及び／又は、
数、量、時機、及び／又は種類において異なる、非対称的な組成物
のうち一種又は二種以上の組合せである、請求項２２の微小流体モジュールのシステム。
【請求項２５】
前記システムが更に、プロトコールの環境に従って、複数の異なる種類のモジュールを相互接続し、及び／又は、モジュール内及びモジュール間で液体の連通を制御し、及び／又は、ルートレベルの動作プロトコールの種々のタスクを実行する手段のうち、１種又は二種以上の組合せを含み、
ここで、斯かる手段が任意により、
特定のモジュールから特定の種類のカートリッジへの組立を指示しうる手段；例えば、一義的に配置された共働機能アタッチメント、共働スライド及びスライドガイド、クリップ、アップリケ；
流体を受容、保存、及び／又は利用可能とする手段；例えば、チャンバー、空洞、ブラダー、及び／又は、包装された試薬セル；
モジュール内及びモジュール間での流体移送を可能とする手段；例えば、チューブ、チャネル、或いは他の、移送を容易とし、可能であれば流体の分離を容易とする流体制御経路の幾何学形状配置手段；
相互接続された複数モジュールの共働流体移送経路間での流体の相互関係及び移送を改良する手段；例えば、機械的封止材、ガスケット、滅菌封止バリアー、又は自己回復ストッパー；
流体制御を改良する手段；例えば、スイッチ、チューブ、弁、チョークポイント、ダイバータ、穿孔デバイス、シャント、ポート、ベント、ガスケット、圧縮フォーム、及び／又は、磁化若しくは磁性材料；
分析用試料の調製を意図する手段；例えば、分析試薬、膜、篩、フィルター、又はモジュールを遠心分離するための機構；
析手順に関連するデータの取得を支援する手段；例えば、電気的、化学的、及び／又は光：センサー、メーター、フィルター、光電子増倍管、偏光子、又は遮光性、反射性、若しくは透明な材料、構造、若しくはアップリケ；
モジュール又はモジュール集合体の内部又は周囲で発生させた電流を用いてデバイスの動作を更に可能とする手段；電気回路、導電性材料、蓄電デバイス、例えばバッテリー又はキャパシター；
モジュールを他のモジュールに対して、他のモジュールの内部又は周囲に設けられたガイドパスにより、相対的に移動可能とする手段；例えば、プランジャー、選択的モジュール配置、線形アクチュエータ、スライド、又は他の種類の動作を配向させ、若しくは動作を付与するデバイス；
適切なモジュラー集合体の表示を伝える手段；例えば、モジュールの種類及びその動作パラメーターに関する情報を更に有していてもよい、複数の共働モジュール、アップリケ、又は他の視認要素間における共働機能アタッチメントの１又は２以上の物理的要素の特定の配置及び相互関係；カートリッジの動作に関する情報を、カートリッジを操作可能に設計された分析機器に伝送することが可能であってもよい、適切に組み立てれば回路を閉止するように操作可能な共働モジュール付近に配置された複数の電気回路の分離；並びに、
特定の分析タスクの要請に応じて、個々のモジュールの物理的寸法及びそれら相互の配置を変更すると共に、最終的なデバイス形態の標準的な全体寸法及び作動機構に適合させることが可能な手段
のうち１種又は二種以上の組合せである、請求項２１のモジュールのシステム。
【請求項２６】
複数の第２の入力の分離された補完物を伴う２以上の調和した下位レベルの動作プロトコールを有する１又は２以上のルートレベルの動作プロトコールを実施するよう動作可能に装備された完全なカートリッジへと適切に組み立てられる複数のモジュールの適切な選択を更に含む、請求項２１の微小流体モジュールのシステム。
【請求項２７】
前記複数のモジュールの適切な選択が、
ルートレベルの動作プロトコールに従って、複数の第１の入力及び第２の入力を需要及び処理すると共に、更に１又は２以上の試薬モジュール間の流体連通を確立するように操作可能な、１又は２以上の反応器モジュールと、
第２の入力の補完物を包有し、且つ前記反応器モジュールへと分注可能な、１又は２以上の試薬モジュールとを含む、請求項２５の微小流体モジュールのシステム。
【請求項２８】
前記完全なカートリッジが、流体シグナルを複数の識別可能な流体連通経路に沿って伝送するよう作用させる手段によって実現される、１又は２以上の独立に制御される閉鎖型連続流式流体システムを包含し；ここで、
第１の前記経路が、意図された目的地の入力の上流に構成された第１の空圧ポートと、入力の下流に構成された第２の空圧ポートによって実現されると共に、外部機械的手段と動作可能に連結され、前記入力の上流及び下流に圧力勾配を形成することにより、前記入力を意図された目的地へと識別可能なように誘導指示することが可能に構成され、
第２の前記経路が、相互に対向して配置された２つのモジュールにより生成される圧縮力によって、意図された目的地の入力の上流の圧力を上昇させることにより実現されると共に、前記第２の空圧ポートが、入力の下流における内部圧力を低下させるための外部機械的手段と連結されることにより、前記入力を意図された目的地へと識別可能なように誘導指示することが可能に構成される、請求項２６の微小流体モジュールのシステム。
【請求項２９】
前記複数のモジュールの適切な選択が、
ルートレベルの動作プロトコールに従って第１の入力と第２の入力とを混合するように操作可能な少なくとも１つのモジュール、又は、
第１の入力又は第２の入力を提供する少なくとも１つのモジュール、又は、
動作プロトコールの進行時に使用された廃液を保持するように構成された少なくとも１つのモジュールを含む、請求項２５の微小流体モジュールのシステム。
【請求項３０】
プログラム可能な試薬送達システムであって、
物理的容器、即ち湿潤セルに個別に内包された、１又は２以上の分割量の液体試薬と、
測定された時間に等しい体積を有する、０又は１以上の時間的に較正されたスペーサ、即ち乾燥セルと、
内部、少なくとも２つの広い湿潤セル、少なくとも１つの深い湿潤セル、外部、遠位端、及び近位端を有し、流体シグナルを次段のモジュールへと伝送することが可能な第１のモジュールと、
機械的負荷を１又は２以上の湿潤セルに分散させると共に、斯かるセルを操作可能な構成内に内包するように操作可能な圧縮フォームとを含み、
ここで、前記圧縮フォームは任意により、前記第１のモジュールに含まれる湿潤セルと、前記次段の連結モジュールの流体制御経路との間に、流体連結を確立するように操作可能な穿孔要素を有していてもよく、
ここで、１又は２以上の湿潤セルは、規定の分注系列に従って配列され、直列化された試薬クラスターを生成し、２以上の直列化された試薬クラスターが並行に配置され、各試薬クラスターの分注系列が単一の推進力により駆動されてもよい、プログラム可能な試薬送達システム。
【請求項３１】
測定された時間に等しい体積を有する、１又は２以上の時間的に較正されたスペーサ、即ち乾燥セルを更に含むと共に、
ここで、前記乾燥セルは１又は２以上の湿潤セルの間に操作可能に挿入され、２以上の直列化された試薬クラスターの放出系列に一時的な遅延を導入することにより、試薬クラスター間の分注系列における一時的な不整合を解消して同期させると共に、各試薬クラスターを単一の推進力で同時に駆動しうるように構成される、請求項２９のプログラム可能な試薬送達システム。
【請求項３２】
前記乾燥セルが、個別の容器に内包された操作可能な量の分注不可能な材料、或いは、１又は２以上の湿潤セルの間に挿入された操作可能な量の分注不可能な材料であり、作動するとプログラム可能な時間遅延を導入する、請求項３０のプログラム可能な試薬送達システム。
【請求項３３】
第１のモジュールと次段のモジュールとの間の流体連通を駆動する手段を更に有し；ここで、斯かる手段が：
前記第１のモジュールから前記次段のモジュールへの連結部を設け、ここで前記第１のモジュールは閉鎖遠位端を有し、前記連結部は、１又は２以上の内包型湿潤セルを前記穿孔要素へと前進させるように操作可能であること、
前記第１のモジュールが開放遠位端を有し、圧縮フォーム内に含まれる１又は２以上の湿潤セルを内包し、ここで応力が直接、或いは介在する要素を介して、湿潤セルの遠位側へと作用するように印加され、これにより湿潤セルの近位側が穿孔要素へと移動するように構成すること、
のうち１種又は２種以上の組合せである、請求項２９のプログラム可能な試薬送達システム。
【請求項３４】
前記物理的容器が、更に１又は２以上の質を有し、ここで前記１又は２以上の質は、液体を張力下で保持するように操作可能な弾力性質；穿孔要素によって穿孔された際に実質的な漏出を生じないように操作可能な自己封止性質；湿潤セルの系列間の機械的負荷を変形及び分散させるように操作可能な弾力性質、更に２つのセルを相互接続し、若しくは複数の表面を接合する手段、例えば雌雄コネクタ；及び、光不透過性材料からなる性質のうち１種又は２種以上の組合せである、請求項３０のプログラム可能な試薬送達システム。
【請求項３５】
前記穿孔要素が、その内部を通じて流体シグナルを移送するように操作可能な１又は２以上の端が先鋭化された中空カニューラであり、或いは、前記次段の連結モジュールにより供される流体制御経路の先鋭化された延長部分である、請求項３０のプログラム可能な試薬送達システム。
【請求項３６】
複数の対称的な及び／又は非対称的な試薬システムを同期させるように試薬送達システムをプログラムするための方法であって、
Ａ．第１の入力を第２の入力の補完物で処理し、前記第１の入力の質を伝達する出力を生成するための、段階的なルートレベルの動作プロトコールを選択し；ここで、前記ルートレベルの動作プロトコールは更に、複数の個別の第２の入力を有する複数の下位レベルの動作プロトコールを封入することにより、前記第１の入力の個別の質を伝達する複数の個別の出力を生成し；ここで、前記第１の入力は、液体懸濁液中の液体又は固体又は気体である生物学的検体であってもよく、前記第２の入力は、液体試薬であってもよく、
Ｂ．各動作プロトコールの各動作アスペクトを検証し：
１．各動作プロトコールが同一の場合には、工程Ｃに進み、
２．各動作プロトコールの全体動作時間サイクル及び第２の入力の総体積が同一の場合には、工程Ｃに進み、
３．前記動作プロトコールのうち一つが時間サイクル及び／又は第２の入力の総体積において異なる場合は、工程Ｄに進み；
Ｃ．個別の物理的容器に封入された所定の体積の各第２の入力、即ち湿潤セルを、所定の分注系列に従って配列することにより、各プロトコールについて直列化された試薬クラスターを生成すると共に、２以上の直列化された試薬クラスターを並行の系列としてルートレベルの動作プロトコールに従って前進させ、続いて工程Ｅに進み；
Ｄ．工程Ｃ（上記）に規定の動作プロセスを実施すると共に、各プロトコールの要件に従って、前記直列化された試薬クラスターの中に、１又は２以上の時間的に較正されたスペーサを介挿し：
１．あるプロトコールにおいて、第２の入力の総体積が少ない、及び／又は、出力を生成する時間が短いために、全体の動作時間サイクルが短い場合には、時間的に較正されたスペーサを：
前記プロトコールの開始を遅らせ、結果として前記プロトコールがより遅くなるように、最初の位置に介挿し、或いは、
斯かるプロトコールの開始及び完了を早めるべく、最後の位置に介挿し、或いは、
前記プロトコールを他のプロトコールの間に完了させるように、最初の位置及び最後の位置に介挿し；及び／又は
２．あるプロトコールが、非対称的な順序の動作を表すと共に、２以上の第２の入力の投与間に一時的な遅延を伴う場合；例えば時限インキュベーションサイクルの場合には、
時間的に較正されたスペーサを斯かる湿潤セルの間に介挿することにより、前記試薬間の分注サイクルを遅延させ、
３．続いて工程Ｅに進み；
Ｅ．各直列化された試薬クラスターの作動を連続的作動又は離散的作動に較正し；ここで連続的作動は、各入力の分注系列を一定又は可変の速度でプログラミングするものであり；離散的作動は、動作中の分注事象中又は事象間に、時限的停止を間欠的に導入するように、前記分注系列をプログラミングするものであり；続いて、前記動作インストラクションを、処理用の機器又は個人に実施させるように伝達する
ことを含む方法。
【請求項３７】
３以上のモジュールを有するモジュラーカートリッジのモジュラーマトリックス内の動作をコード化するための方法であって：
Ａ．モジュラーカートリッジの最終的な作動的構成を定量化し、
Ｂ．２以上のモジュール間で分離及び／又は分配するべき動作可能な種類の連結要素を選択し；ここで、複数の異なる種類の連結が、組立中には選択性を、及び、組み立て後には複数の異なる種類の可動性を提供することができ；
Ｃ．前記要素の個別のアスペクトを前記モジュール間で分配し、
Ｄ．ある特定の構成において１又は２以上のモジュールが存在する場合には、前記各モジュールに分配された前記アスペクトを、ある特定のモジュールについて選択的となるように構成し；
ここで、有用な要素は：
２以上のモジュール間の選択的な機械的連結；複数のモジュール間の選択的なマルチパート機械的連結；マルチパート機械的連結の一部を未完成とすると共に、複数の異なるアスペクトを複数の選択モジュールの間で分配し、これらの選択モジュールが適切な時期に適切に組み立てられた場合に、前記未完成部分を完成させること；２以上のモジュール間で共働する幾何形状；共働する隙間；２以上のモジュール間の１又は２以上のネイティブな界面；部分的にモジュラーを組立てると出現する１又は２以上の界面；及び／又は、不適切な組み立て事象を防止するよう意図的に矛盾するようにされた構成内に配置された、前記要素の何れか一つ；
のうち１種又は２種以上の組合せを含んでいてもよい、方法。
【請求項３８】
プログラム可能な試薬送達システムを有するモジュラー分析用カートリッジを操作するための方法であって、
Ａ．まず、検体の上流と意図された目的地の下流とに、測定された時間に亘って圧力勾配を確立することにより、所定量の体積の検体が意図された目的地へと流れるように誘導し、
Ｂ．次に、予めプログラムされた構成の内包型試薬に従って１又は２以上の試薬モジュールを機械的に連結し、試薬容器が穿孔デバイスによって穿孔され、前記試薬を前記意図された目的地へと連通するように動作可能な経路と流体連通するように誘導し、一方、前記意図された目的地の下流では、好ましい陰性圧力を維持することにより、１又は２以上の試薬、又は所定量の体積の試薬が、前記意図された目的地へと流れるように、斯かる試薬の前記意図された目的地への流通を誘導し、更には促進しうるように、前記試薬容器と意図された目的地との間で流体連通を確立する
ことを含む方法。
【請求項３９】
プログラム可能な試薬送達システムを有するモジュラー分析用カートリッジを動作させるための装置であって：
モジュラー分析用カートリッジを受容する手段、例えばメカニカルステージ又はカルーセルと、
前記カートリッジと作動可能に連結され、選択されたモジュールの内部圧力を選択的に作用させるための、空気圧信号を伝達して空気圧信号により動作する空気ポンプと、
前記カートリッジの１又は２以上のモジュールを機械的に連結するための手段、例えばある種の線形アクチュエータとを含む装置。